【手続補正書】
【提出日】平成18年1月5日(2006.1.5)
【手続補正１】
【補正対象書類名】特許請求の範囲
【補正対象項目名】全文
【補正方法】変更
【補正の内容】
【特許請求の範囲】
【請求項１】
下式
Ｒ−（Ｙ−ＣＨ２−Ｒｆ−ＣＨ２−Ｏ−Ｅ）ｎ
（式中、
Ｒは芳香族または複素環式芳香族部分であり、
ＹはＯまたはＳであり、
Ｒｆはフッ素化アルキレン、アリーレンまたはポリエーテル部分を含み、
Ｅはエチレン性不飽和部分であり、
ｎは２、３または４である）
の化合物と、
それぞれが、前記芳香族または複素環式芳香族部分にエーテルまたはチオエーテルを介して結合した少なくとも２つのフッ素化アルキレン、アリーレンまたはポリエーテル部分と、
それぞれが、前記フッ素化アルキレン、アリーレンまたはポリエーテル部分のうち１つに結合している少なくとも１つのエチレン性不飽和部分と
を有する化合物
を含み、
１５５０ｎｍの波長での吸収損失が０．５ｄＢ／ｃｍ未満であることを特徴とするエネルギー硬化性組成物。
【請求項２】
イソシアヌレート部分と、
前記イソシアヌレート部分に前記イソシアヌレートの窒素で結合した３つのフッ素化アルキレン、アリーレンまたはポリエーテル部分と、
前記フッ素化アルキレン、アリーレンまたはポリエーテル部分のうち１つに結合した少なくとも１つのエチレン性不飽和部分と
を有する化合物を含むことを特徴とするエネルギー硬化性組成物。
【請求項３】
芳香族または複素環式芳香族部分と、
それぞれが、前記芳香族または複素環式芳香族部分にエーテルまたはチオエーテルを介して結合している少なくとも２つのフッ素化アルキレン、アリーレンまたはポリエーテル部分と、
それぞれが、前記フッ素化アルキレン、アリーレンまたはポリエーテル部分のうち１つに結合している少なくとも１つのエチレン性不飽和部分と
を有するエネルギー硬化性組成物のポリマーまたはコポリマーを含むことを特徴とするポリマー材料。
【請求項４】
イソシアヌレート部分と、
前記イソシアヌレート部分に前記イソシアヌレートの窒素で結合した３つのフッ素化アルキレン、アリーレンまたはポリエーテル部分と、
前記フッ素化アルキレン、アリーレンまたはポリエーテル部分のうち１つに結合した少なくとも１つのエチレン性不飽和部分と
を有する化合物を含むエネルギー硬化性組成物のポリマーまたはコポリマーを含むことを特徴とするポリマー材料。
【請求項５】
芳香族または複素環式芳香族部分と、
それぞれが、前記芳香族または複素環式芳香族部分にエーテルまたはチオエーテルを介して結合している少なくとも２つのフッ素化アルキレン、アリーレンまたはポリエーテル部分と、
それぞれが、前記フッ素化アルキレン、アリーレンまたはポリエーテル部分のうち１つに結合している少なくとも１つのエチレン性不飽和部分と
を有するエネルギー硬化性化合物のポリマーまたはコポリマーを含むポリマーコアを含むことを特徴とする光学素子。
【請求項６】
イソシアヌレート部分と、
前記イソシアヌレート部分に前記イソシアヌレートの窒素で結合した３つのフッ素化アルキレン、アリーレンまたはポリエーテル部分と、
前記フッ素化アルキレン、アリーレンまたはポリエーテル部分のうち１つに結合した少なくとも１つのエチレン性不飽和部分と
を有するエネルギー硬化性化合物のポリマーまたはコポリマーを含むポリマーコアを含むことを特徴とする光学素子。
【手続補正２】
【補正対象書類名】明細書
【補正対象項目名】０１１９
【補正方法】変更
【補正の内容】
【０１１９】
本発明に様々な修正および変形を、本発明の技術思想および範囲から逸脱することなく行えることは当業者に明白であろう。このように、本発明には添付の請求項の範囲およびその等価物により成される本発明の修正および変形が含まれるものとする。
以下に、本発明の好ましい態様を示す。
１．  下式
Ｒ−（Ｙ−ＣＨ２−Ｒｆ−ＣＨ２−Ｏ−Ｅ）ｎ
（式中、
Ｒは芳香族または複素環式芳香族部分であり、
ＹはＯまたはＳであり、
Ｒｆはフッ素化アルキレン、アリーレンまたはポリエーテル部分を含み、
Ｅはエチレン性不飽和部分であり、
ｎは２、３または４である）
の化合物と、
それぞれが、前記芳香族または複素環式芳香族部分にエーテルまたはチオエーテルを介して結合した少なくとも２つのフッ素化アルキレン、アリーレンまたはポリエーテル部分と、
それぞれが、前記フッ素化アルキレン、アリーレンまたはポリエーテル部分のうち１つに結合している少なくとも１つのエチレン性不飽和部分と
を有する化合物
を含み、
１５５０ｎｍの波長での吸収損失が０．５ｄＢ／ｃｍ未満であることを特徴とするエネルギー硬化性組成物。
２．  前記化合物が
【化１】
2005517081.tif 000001
（式中、
各Ｒは芳香族または複素環式芳香族部分であり、
各ＹはＯまたはＳであり、
各Ｒｆはフッ素化アルキレン部分、フッ素化アリーレン部分またはフッ素化ポリエーテル部分を含み、
各Ｅはエチレン性不飽和部分であり、
各ｊは１、２または３であり、
各ｍは１、２または３であり、
各添字ｎは０、１、２、３または４であり、
各式における添字ｎの合計は２、３または４である）
からなる群より選択される式を有していることを特徴とする１．に記載のエネルギー硬化性組成物。
３．  前記芳香族または複素環式芳香族部分が
【化２】
2005517081.tif 000002
【化３】
2005517081.tif 000003
からなる群より選択されることを特徴とする１．に記載のエネルギー硬化性組成物。
４．  前記フッ素化アルキレン、アリーレンまたはポリエーテル部分が
−（ＣＦ２）ｘ−、
−（Ｃ６Ｆ４）ｘ−
−ＣＦ２Ｏ−［（ＣＦ２ＣＦ２Ｏ）ｍ（ＣＦ２Ｏ）ｎ］−ＣＦ２−、
−ＣＦ（ＣＦ３）Ｏ（ＣＦ２）４Ｏ［ＣＦ（ＣＦ３）ＣＦ２Ｏ］ｐＣＦ（ＣＦ３）−および
−ＣＦ２Ｏ−（ＣＦ２ＣＦ２Ｏ）ｍ−ＣＦ２−、
（式中、
ｘは１〜１０の整数であり、
ｍおよびｎは不規則分配パーフルオロエチレンオキシおよびパーフルオロメチレンオキシ主鎖反復サブユニットの数をそれぞれ示し、
ｐは−ＣＦ（ＣＦ３）ＣＦ２Ｏ−主鎖反復サブユニットの数を示す）
からなる群より選択されることを特徴とする１．に記載のエネルギー硬化性組成物。
５．  各エチレン性不飽和部分がアクリレート、メタクリレート、ハロアクリレート、ハロメタクリレート、ビニルエーテルおよびアリルエーテルからなる群より選択されることを特徴とする１．に記載のエネルギー硬化性組成物。
６．  ５５Ｍ未満のＣＨを有することを特徴とする１．に記載のエネルギー硬化性組成物。
７．  ２０Ｍ未満のＣＨを有することを特徴とする１．に記載のエネルギー硬化性組成物。
８．  １０Ｍ未満のＣＨを有することを特徴とする１．に記載のエネルギー硬化性組成物。
９．  吸収損失が１５５０ｎｍで０．５ｄＢ／ｃｍ未満であることを特徴とする１．に記載のエネルギー硬化性組成物。
１０．  吸収損失が１５５０ｎｍで０．２ｄＢ／ｃｍ未満であることを特徴とする１．に記載のエネルギー硬化性組成物。
１１．  吸収損失が１５５０ｎｍで０．１ｄＢ／ｃｍ未満であることを特徴とする１．に記載のエネルギー硬化性組成物。
１２．  開始剤をさらに含むことを特徴とする１．に記載のエネルギー硬化性組成物。
１３．  前記化合物が少なくとも１０重量％の量で存在していることを特徴とする１．に記載のエネルギー硬化性組成物。
１４．  イソシアヌレート部分と、
前記イソシアヌレート部分に前記イソシアヌレートの窒素で結合した３つのフッ素化アルキレン、アリーレンまたはポリエーテル部分と、
前記フッ素化アルキレン、アリーレンまたはポリエーテル部分のうち１つに結合した少なくとも１つのエチレン性不飽和部分と
を有する化合物を含むことを特徴とするエネルギー硬化性組成物。
１５．  下式の化合物
【化４】
2005517081.tif 000004
（式中、Ｒｆはフッ素化アルキレン、アリーレンまたはポリエーテル部分を含み、Ｅはエチレン性不飽和部分である）を含むことを特徴とする１４．に記載のエネルギー硬化性組成物。
１６．  前記化合物が
【化５】
2005517081.tif 000005
（式中、Ｃ３Ｎ３Ｏ３はイソシアヌレート核であり、各Ｒｆはフッ素化アルキレン部分、フッ素化アリーレン部分またはフッ素化ポリエーテル部分であり、各Ｅはエチレン性不飽和部分であり、各添字ｎは０、１、２または３であり、各式中の添字ｎの合計は３である）からなる群より選択される式を有していることを特徴とする１４．に記載のエネルギー硬化性組成物。
１７．  前記フッ素化アルキレン、アリーレンまたはポリエーテル部分が
−（ＣＦ２）ｘ−、
−（Ｃ６Ｆ４）ｘ−
−ＣＦ２Ｏ−［（ＣＦ２ＣＦ２Ｏ）ｍ（ＣＦ２Ｏ）ｎ］−ＣＦ２−、
−ＣＦ（ＣＦ３）Ｏ（ＣＦ２）４Ｏ［ＣＦ（ＣＦ３）ＣＦ２Ｏ］ｐＣＦ（ＣＦ３）−および
−ＣＦ２Ｏ−（ＣＦ２ＣＦ２Ｏ）ｍ−ＣＦ２−、
（式中、
ｘは１〜１０の整数であり、
ｍおよびｎは不規則分配パーフルオロエチレンオキシおよびパーフルオロメチレンオキシ主鎖反復サブユニットの数をそれぞれ示し、
ｐは−ＣＦ（ＣＦ３）ＣＦ２Ｏ−主鎖反復サブユニットの数を示す）
からなる群より選択されることを特徴とする１４．に記載のエネルギー硬化性組成物。
１８．  各エチレン性不飽和部分がアクリレート、メタクリレート、ハロアクリレート、ハロメタクリレート、ビニルエーテルおよびアリルエーテルからなる群より選択されることを特徴とする１４．に記載のエネルギー硬化性組成物。
１９．  ５５Ｍ未満のＣＨを有することを特徴とする１４．に記載のエネルギー硬化性組成物。
２０．  ２０Ｍ未満のＣＨを有することを特徴とする１４．に記載のエネルギー硬化性組成物。
２１．  １０Ｍ未満のＣＨを有することを特徴とする１４．に記載のエネルギー硬化性組成物。
２２．  前記化合物が少なくとも１０重量％の量で存在していることを特徴とする１４．に記載のエネルギー硬化性組成物。
２３．  芳香族または複素環式芳香族部分と、
それぞれが、前記芳香族または複素環式芳香族部分にエーテルまたはチオエーテルを介して結合している少なくとも２つのフッ素化アルキレン、アリーレンまたはポリエーテル部分と、
それぞれが、前記フッ素化アルキレン、アリーレンまたはポリエーテル部分のうち１つに結合している少なくとも１つのエチレン性不飽和部分と
を有するエネルギー硬化性組成物のポリマーまたはコポリマーを含むことを特徴とするポリマー材料。
２４．  前記エネルギー硬化性化合物が下式
Ｒ−（Ｙ−ＣＨ２−Ｒｆ−ＣＨ２−Ｏ−Ｅ）ｎ
（式中、
Ｒは芳香族または複素環式芳香族部分であり、
ＹはＯまたはＳであり、
Ｒｆはフッ素化アルキレン、アリーレンまたはポリエーテル部分を含んでおり、
Ｅはエチレン性不飽和部分であり、
ｎは２、３または４である）
を有していることを特徴とする２３．に記載のポリマー材料。
２５．  前記芳香族または複素環式芳香族部分が
【化６】
2005517081.tif 000006
【化７】
2005517081.tif 000007
からなる群より選択されることを特徴とする２３．に記載のポリマー材料。
２６．  前記フッ素化アルキレン、アリーレンまたはポリエーテル部分が
−（ＣＦ２）ｘ−、
−（Ｃ６Ｆ４）ｘ−
−ＣＦ２Ｏ−［（ＣＦ２ＣＦ２Ｏ）ｍ（ＣＦ２Ｏ）ｎ］−ＣＦ２−、
−ＣＦ（ＣＦ３）Ｏ（ＣＦ２）４Ｏ［ＣＦ（ＣＦ３）ＣＦ２Ｏ］ｐＣＦ（ＣＦ３）−および
−ＣＦ２Ｏ−（ＣＦ２ＣＦ２Ｏ）ｍ−ＣＦ２−、
（式中、
ｘは１〜１０の整数であり、
ｍおよびｎは不規則分配パーフルオロエチレンオキシおよびパーフルオロメチレンオキシ主鎖反復サブユニットの数をそれぞれ示し、
ｐは−ＣＦ（ＣＦ３）ＣＦ２Ｏ−主鎖反復サブユニットの数を示す）
からなる群より選択されることを特徴とする２３．に記載のポリマー材料。
２７．  ５５Ｍ未満のＣＨを有することを特徴とする２３．に記載のポリマー材料。
２８．  ２０Ｍ未満のＣＨを有することを特徴とする２３．に記載のポリマー材料。
２９．  １０Ｍ未満のＣＨを有することを特徴とする２３．に記載のポリマー材料。
３０．  吸収損失が１５５０ｎｍで０．５ｄＢ／ｃｍ未満であることを特徴とする２３．に記載のポリマー材料。
３１．  イソシアヌレート部分と、
前記イソシアヌレート部分に前記イソシアヌレートの窒素で結合した３つのフッ素化アルキレン、アリーレンまたはポリエーテル部分と、
前記フッ素化アルキレン、アリーレンまたはポリエーテル部分のうち１つに結合した少なくとも１つのエチレン性不飽和部分と
を有する化合物を含むエネルギー硬化性組成物のポリマーまたはコポリマーを含むことを特徴とするポリマー材料。
３２．  前記エネルギー硬化性化合物が下式
【化８】
2005517081.tif 000008
（式中、Ｒｆはフッ素化アルキレン、アリーレンまたはポリエーテル部分を含み、Ｅはエチレン性不飽和部分である）
を有していることを特徴とする３１．に記載のポリマー材料。
３３．  前記フッ素化アルキレン、アリーレンまたはポリエーテル部分が
−（ＣＦ２）ｘ−、
−（Ｃ６Ｆ４）ｘ−
−ＣＦ２Ｏ−［（ＣＦ２ＣＦ２Ｏ）ｍ（ＣＦ２Ｏ）ｎ］−ＣＦ２−、
−ＣＦ（ＣＦ３）Ｏ（ＣＦ２）４Ｏ［ＣＦ（ＣＦ３）ＣＦ２Ｏ］ｐＣＦ（ＣＦ３）−および
−ＣＦ２Ｏ−（ＣＦ２ＣＦ２Ｏ）ｍ−ＣＦ２−、
（式中、
ｘは１〜１０の整数であり、
ｍおよびｎは不規則分配パーフルオロエチレンオキシおよびパーフルオロメチレンオキシ主鎖反復サブユニットの数をそれぞれ示し、
ｐは−ＣＦ（ＣＦ３）ＣＦ２Ｏ−主鎖反復サブユニットの数を示す）
からなる群より選択されることを特徴とする３１．に記載のポリマー材料。
３４．  ５５Ｍ未満のＣＨを有することを特徴とする３１．に記載のポリマー材料。
３５．  ２０Ｍ未満のＣＨを有することを特徴とする３１．に記載のポリマー材料。
３６．  １０Ｍ未満のＣＨを有することを特徴とする３１．に記載のポリマー材料。
３７．  吸収損失が１５５０ｎｍで０．５ｄＢ／ｃｍ未満であることを特徴とする３１．に記載のポリマー材料。
３８．  芳香族または複素環式芳香族部分と、
それぞれが、前記芳香族または複素環式芳香族部分にエーテルまたはチオエーテルを介して結合している少なくとも２つのフッ素化アルキレン、アリーレンまたはポリエーテル部分と、
それぞれが、前記フッ素化アルキレン、アリーレンまたはポリエーテル部分のうち１つに結合している少なくとも１つのエチレン性不飽和部分と
を有するエネルギー硬化性化合物のポリマーまたはコポリマーを含むポリマーコアを含むことを特徴とする光学素子。
３９．  前記フッ素化アルキレン、アリーレンまたはポリエーテル部分が
−（ＣＦ２）ｘ−、
−（Ｃ６Ｆ４）ｘ−
−ＣＦ２Ｏ−［（ＣＦ２ＣＦ２Ｏ）ｍ（ＣＦ２Ｏ）ｎ］−ＣＦ２−、
−ＣＦ（ＣＦ３）Ｏ（ＣＦ２）４Ｏ［ＣＦ（ＣＦ３）ＣＦ２Ｏ］ｐＣＦ（ＣＦ３）−および
−ＣＦ２Ｏ−（ＣＦ２ＣＦ２Ｏ）ｍ−ＣＦ２−、
（式中、
ｘは１〜１０の整数であり、
ｍおよびｎは不規則分配パーフルオロエチレンオキシおよびパーフルオロメチレンオキシ主鎖反復サブユニットの数をそれぞれ示し、
ｐは−ＣＦ（ＣＦ３）ＣＦ２Ｏ−主鎖反復サブユニットの数を示す）
からなる群より選択されることを特徴とする３８．に記載の光学素子。
４０．  前記ポリマーコアが５５Ｍ未満のＣＨを有することを特徴とする３８．に記載の光学素子。
４１．  前記ポリマーコアの吸収損失が１５５０ｎｍで０．５ｄＢ／ｃｍ未満であることを特徴とする３８．に記載の光学素子。
４２．  イソシアヌレート部分と、
前記イソシアヌレート部分に前記イソシアヌレートの窒素で結合した３つのフッ素化アルキレン、アリーレンまたはポリエーテル部分と、
前記フッ素化アルキレン、アリーレンまたはポリエーテル部分のうち１つに結合した少なくとも１つのエチレン性不飽和部分と
を有するエネルギー硬化性化合物のポリマーまたはコポリマーを含むポリマーコアを含むことを特徴とする光学素子。
４３．  前記フッ素化アルキレン、アリーレンまたはポリエーテル部分が
−（ＣＦ２）ｘ−、
−（Ｃ６Ｆ４）ｘ−
−ＣＦ２Ｏ−［（ＣＦ２ＣＦ２Ｏ）ｍ（ＣＦ２Ｏ）ｎ］−ＣＦ２−、
−ＣＦ（ＣＦ３）Ｏ（ＣＦ２）４Ｏ［ＣＦ（ＣＦ３）ＣＦ２Ｏ］ｐＣＦ（ＣＦ３）−および
−ＣＦ２Ｏ−（ＣＦ２ＣＦ２Ｏ）ｍ−ＣＦ２−、
（式中、
ｘは１〜１０の整数であり、
ｍおよびｎは不規則分配パーフルオロエチレンオキシおよびパーフルオロメチレンオキシ主鎖反復サブユニットの数をそれぞれ示し、
ｐは−ＣＦ（ＣＦ３）ＣＦ２Ｏ−主鎖反復サブユニットの数を示す）
からなる群より選択されることを特徴とする４２．に記載の光学素子。
４４．  前記ポリマーコアが５５Ｍ未満のＣＨを有することを特徴とする４２．に記載の光学素子。
４５．  前記ポリマーコアの吸収損失が１５５０ｎｍで０．５ｄＢ／ｃｍ未満であることを特徴とする４２．に記載の光学素子。